(57)【要約】      （修正有）【課題】光通信装置に障害が発生した際に応急措置として通信を復旧するためのシステムを提供する。【解決手段】復旧装置は，第１のノードの制御プレーンローカルネットワークに接続し，緊急接続サーバから，制御プレーンローカルネットワークに存在する，第１のノードが含まれる第１のサブネット内の１又は複数のノードのアドレス情報を取得する。さらに，復旧装置が，１又は複数のノードのアドレス情報を用いて，第１のサブネット内の第１のノードが第１のサブネット内の他のノードと接続可能か確認し、第１のノードが接続可能な第１のサブネット内のノードに関する情報を，緊急接続サーバに通知し，緊急接続サーバが，制御プレーンローカルネットワーク内の接続可能なノードを分析して，制御プレーンローカルネットワークにおける制御プレーンの応急復旧を行う。【選択図】図１
2018160874.tif 000002
【特許請求の範囲】
【請求項１】
第１のノードの制御プレーンローカルネットワークに復旧装置を接続する工程と，  
前記復旧装置が，緊急接続サーバから，制御プレーンローカルネットワークに存在する，第１のノードが含まれる第１のサブネット内の１又は複数のノードのアドレス情報を取得する工程と，
前記復旧装置が，前記１又は複数のノードのアドレス情報を用いて，第１のサブネット内の第１のノードが第１のサブネット内の他のノードと接続可能か確認する工程と，
前記復旧装置が，第１のノードが接続可能な第１のサブネット内のノードに関する情報を，前記緊急接続サーバに通知する工程と，   前記緊急接続サーバが，前記制御プレーンローカルネットワーク内の接続可能なノードを分析する工程と，
を含み，前記制御プレーンローカルネットワークにおける制御プレーンの応急復旧を行う方法。
【請求項２】
請求項１に記載の方法であって，
制御プレーンローカルネットワークにおいて，第１のノードが第１のサブネット内のノードと接続可能でない場合，
前記復旧装置が，前記緊急接続ポイントとの無線通信を確立する工程をさらに含む，
方法。
【請求項３】
請求項２に記載の方法であって，
前記復旧装置が，第１のノードが第１のサブネット内のノードと接続可能と判断した場合，
前記復旧装置と前記緊急接続ポイントとの無線通信を切断する工程をさらに含む，
方法。
【請求項４】
第１のノードの制御プレーンローカルネットワークに接続するための接続部と，
緊急接続サーバから，第１のサブネット内の１又は複数のノードのアドレス情報を取得するアドレス取得部と，
第１のサブネット内の１又は複数のノードのアドレス情報を取得するアドレスを用いて，第１のサブネット内の第１のノードが第１のサブネット内の他のノードと接続可能か確認するノード確認部と，
第１のノードが接続可能な第１のサブネット内のノードに関する情報を，前記緊急接続サーバに無線にて通知する無線通知部と，  
制御プレーンでおくられた命令に従いノードおよび機能ブロック装置を制御する装置制御部と，
を含む，復旧装置。
【請求項５】
請求項４に記載の復旧装置と，
前記復旧装置と固定部にて接続可能な１又は複数の機能ブロックとを含む，
光通信システムの復旧システム。
【発明の詳細な説明】
【技術分野】
【０００１】
本発明は，光通信装置に障害が発生した際に応急措置として通信を復旧するための方法やその方法に用いられる装置及びシステムに関する。
【背景技術】
【０００２】
特開２０１３−１５７９１５号公報には，光ネットワーク，ノード及び障害時ルート切替方法が記載されている。
【先行技術文献】
【特許文献】
【０００３】
【特許文献１】特開２０１３−１５７９１５号公報
【発明の概要】
【発明が解決しようとする課題】
【０００４】
従来光ネットワークやノードにおいて制御プレーンが切断されると，光ネットワークが物理的に復旧するまで，そのノードはネットワークから孤立した状態となっていた。このため他のネットワークを利用するために設定を変更することは容易ではなかった。
【０００５】
本発明は，障害を受けた地域の光通信ネットワークを応急的に復旧させることができる方法や装置を提供することを目的とする。特に本発明は，制御プレーン（光信号をどのノードを通じて送信するかという制御）を容易に応急的に復旧する方法や装置を提供することを目的とする。
【課題を解決するための手段】
【０００６】
本発明の第１の側面は，制御プレーンの応急復旧を行う方法に関する。ユーザのデータを伝送及び交換する光通信機器間のネットワークがデータプレーン（ネットワーク）とよばれる。一方，制御プレーンはコントロールプレーンともよばれる。そして，制御プレーンは，データプレーンネットワークを制御するノード間を制御するネットワークである。
【０００７】
この方法は，第１のノードの制御プレーンローカルネットワークに復旧装置を接続する。復旧装置は，光通信機器の通信状態を（応急措置として）復旧するための装置である。第１のノードは，障害が生じたであろう地域に存在するあるサーバである。
【０００８】
次に，復旧装置が，緊急接続サーバから，制御プレーンローカルネットワークに存在する，第１のノードが含まれる第１のサブネット内の１又は複数のノードのアドレス情報を取得する。復旧装置は，通常，無線信号を送受信することができる。そして，緊急接続サーバに接続するための情報を記憶している。一方，緊急接続サーバは，複数のノードのＩＰアドレスなどノードにアクセスするためのアドレス情報を記憶している。このため，復旧装置は，緊急接続サーバに第１のノードが含まれるサブネット内の１又は複数のノードのアドレス情報を送るよう要求すると，緊急接続サーバはその復旧装置に対し，アドレス情報を送信する。復旧装置は，受け取ったアドレス情報を記憶部に記憶する。
【０００９】
次に，復旧装置が，１又は複数のノードのアドレス情報を用いて，第１のサブネット内の第１のノードが第１のサブネット内の他のノードと接続可能か確認する。復旧装置は，記憶部から第１のノードが含まれるサブネット内の１又は複数のノードのアドレス情報を読み出す。そして，読み出したアドレスを用いて，各サーバへアクセスを試みる。このようにして第１のノードと接続可能なノードを把握する。復旧装置は，接続できたノードの情報（アドレス情報でもよい）を記憶部に記憶する。
【００１０】
次に，復旧装置が，第１のノードが接続可能な第１のサブネット内のノードに関する情報を，緊急接続サーバに通知する。例えば，復旧装置は，記憶部からアドレスを用いて接続できたノードの情報を読み出す。そして，読み出した情報を，緊急接続サーバに通知する。この際，無線により，第１のノードが接続可能な第１のサブネット内のノードに関する情報を通知してもよい。
【００１１】
次に，緊急接続サーバが，制御プレーンローカルネットワーク内の接続可能なノードを分析する。緊急接続サーバは，様々なノードの接続可能情報を受け取り，記憶部に記憶する。そして，記憶部に記憶された接続可能なノードの情報を用いて，ノード間の接続情報である制御プレーンを求める。例えば，その制御プレーンを復旧装置に伝え，制御プレーンに従って情報通信を行うノード間を制御することで，第１のサーバが含まれる制御プレーンローカルネットワークにおける制御プレーンの応急復旧を行うことができる。
【００１２】
この方法は，制御プレーンローカルネットワークにおいて，第１のノードが第１のサブネット内のノードと接続可能でない場合，復旧装置が，緊急接続ポイントとの無線通信を確立するものでもよい。
【００１３】
この方法は，復旧装置が，第１のノードが第１のサブネット内のノードと接続可能と判断した場合，復旧装置と緊急接続ポイントとの無線通信を切断するものであってもよい。
【００１４】
本発明の第２の側面は，復旧装置に関する。
復旧装置は，接続部と，アドレス取得部と，ノード確認部と，無線通知部とを有する。
接続部は，復旧装置を第１のノードの制御プレーンローカルネットワークに接続するための要素である。
アドレス取得部は，緊急接続サーバから，第１のサブネット内の１又は複数のノードのアドレス情報を取得するための要素である。
ノード確認部は，第１のサブネット内の１又は複数のノードのアドレス情報を取得するアドレスを用いて，第１のサブネット内の第１のノードが第１のサブネット内の他のノードと接続可能か確認するための要素である。
無線通知部は，第１のノードが接続可能な第１のサブネット内のノードに関する情報を，緊急接続サーバに無線にて通知するための要素である。
【００１５】
この復旧装置は，光通信システムの復旧システムの一要素とされてもよい。この場合光通信システムの復旧システムは，上記した復旧装置と，復旧装置と接続可能な１又は複数の機能ブロックとを含む。復旧システムは，機能ブロック制御部を有してもよい。また，機能ブロックは，固定部において復旧装置と接続可能であってもよい。復旧装置は，制御プレーンから送られた命令に従って，ノード及び機能ブロックを制御する制御部をさらに有していてもよい。
【発明の効果】
【００１６】
本発明は，障害を受けた地域の光通信ネットワークを応急的に復旧させることができる方法や装置を提供できる。特に本発明は，制御プレーン（光信号をどのノードを通じて送信するかという制御）を容易に応急的に復旧する方法や装置を提供できる。
【図面の簡単な説明】
【００１７】
【図１】図１は，本発明のシステム構成例を示す概念図である。
【図２】図２は，応急復旧システムの構成例を示す概念図である。
【図３】図３は，本発明の実施態様の例を説明するためのフローチャートである。
【図４】図４は，本発明第１のノードの制御プレーンローカルネットワークに復旧装置を接続する工程を示す概念図である。
【図５】図５は，復旧装置が，緊急接続サーバから，制御プレーンローカルネットワークに存在する，第１のノードが含まれる第１のサブネット内の１又は複数のノードのアドレス情報を取得する工程を示す概念図である。
【図６】図６は，復旧装置が，１又は複数のノードのアドレス情報を用いて，第１のサブネット内の第１のノードが第１のサブネット内の他のノードと接続可能か確認する工程を示す概念図である。
【図７】図７は，復旧装置が，第１のノードが接続可能な第１のサブネット内のノードに関する情報を，前記緊急接続サーバに通知する工程を示す概念図である。
【図８】図８は，緊急接続サーバが，制御プレーンローカルネットワーク内の接続可能なノードを分析する工程を示す概念図である。
【図９】図９は，制御プレーンローカルネットワークにおいて，第１のノードが第１のサブネット内のノードと接続可能でない場合，復旧装置が，緊急接続サーバとの無線通信を確立する工程を示す概念図である。
【図１０】図１０は，復旧装置が，第１のノードが第１のサブネット内のノードと接続可能と判断した場合，復旧装置と緊急接続サーバとの無線通信を切断する工程を示す概念図である。
【発明を実施するための形態】
【００１８】
以下，図面を用いて本発明を実施するための形態について説明する。本発明は，以下に説明する形態に限定されるものではなく，以下の形態から当業者が自明な範囲で適宜修正したものも含む。
【００１９】
以下，本発明の実施形態を詳細に説明する。
【００２０】
図１は，本発明のシステム構成例を示す概念図である。図１に示されるように，光ネットワークの構成において，通信事業者は，ユーザのデータを伝送及び交換する光通信機器間のデータプレーンネットワークと，データプレーンネットワークを制御するノード間の制御プレーンネットワークとを区分している。簡潔のために，以下それぞれのネットワークとはデータプレーン及び制御プレーンをいう。制御プレーンの構築について，通信事業者（通信事業者が提供するコンピュータ）が，制御プレーンを構築する際に，データプレーン内の帯域資源を利用して制御プレーンのリンクを設立できる。また，通信事業者が，その他のネットワーク回線や交換設備を利用して，制御プレーンを構築できる。データプレーン又は制御プレーンに障害が発生し，制御プレーンが不通となる場合，光ネットワークの制御機能にダメージを受ける。このため，通信事業者が，制御プレーン資源の冗長化，経路の冗長化などの措置を行うことを通じて，制御プレーンの耐障害性を向上することができる。制御プレーンの構成については，レイヤ３では，複数ＩＰサブネットを持つことができる。以下，サブネットともいう。また，分割された最小の各々のレイヤ３のＩＰサブネットは，それぞれ一つのレイヤ２のセグメントに設置できる（以下セグメントをいう）。サブネット内の通信は，セグメント内に閉じられる。サブネット間にＩＰルータが設置され，異なるサブネット間にトラヒックのルーチングを行うことができる。
【００２１】
光ネットワークは耐障害性を持つように建設される。しかし，大規模災害時に，図１に示されるように，設計以上に複数個所のファイバ切断若しくは光交換ノードの損壊により，データプレーンが物理的に分断され，データプレーンの帯域資源を利用し構築された制御プレーンも分断される。本発明に基づく応急復旧を行い，分断された制御プレーンネットワークを素早く疎通することができる。
【００２２】
制御プレーン自動応急復旧の対象
本発明において，制御プレーンの自動応急復旧は，制御プレーンの各々のレイヤ３のサブネットワーク（それと対応する一つのレイヤ２セグメント）を対象として行われる。複数の制御プレーンサブネットの応急復旧については，それぞれの制御プレーンのサブネットワーク応急復旧が独立に行われる。
【００２３】
制御プレーン自動応急復旧のアプローチ
通信事業者が，図１に示されるように，被災された対象光ネットワークの所在地域において，他の生残った又は一部先に応急復旧された無線通信網及びインターネットアクセスの状況を把握している。通信事業者が，制御プレーンの応急復旧のために，無線接続及びインターネットアクセス可能な場所に，本発明中の復旧装置を対象制御プレーンネットワークに臨時有線接続を行う。また，通信事業者が，被災地域外に本発明中の緊急接続サーバを設置し，セキュアなアクセス制御装置，例えば， ファイアウォール，を経由しインターネットに接続する。緊急接続サーバは，復旧装置と連携し，ネットワーク損壊状況を自動的に把握することができる。また，緊急接続サーバは，復旧装置と連携し，分断化された対象制御プレーンネットワークを応急復旧することができる。
【００２４】
応急復旧システムの構成
この復旧装置は，光通信システムの復旧システムの一要素とされてもよい。この場合光通信システムの復旧システムは，機能ブロック制御部を有してもよい。この復旧システムは，上記した復旧装置と，復旧装置と固定部で接続可能な１又は複数の機能ブロックとを含む。緊急接続サーバは，インターネットにセキュアなアクセスができる計算機であり，復旧装置と併用される光通信システムの復旧システムの一要素である。
【００２５】
図２は，復旧装置や機能ブロックを含む復旧システムの概念図である。対象となるノード等の障害に応じて適切な機能ブロックを採用すればよい。機能ブロックの形状は，復旧装置と固定できるような形状とされていることが好ましい。また，機能ブロックは，例えば上面及び下面形状が同一のものとされており，それぞれの機能ブロック又は復旧装置と接続するための接続部が設けられてもよい。
【００２６】
図３は，本発明の実施態様の例を説明するためのフローチャートである。図３に示されるように，本発明では，制御プレーンの応急復旧のために，以下複数の工程が含まれている。
【００２７】
工程０：復旧装置及び緊急接続サーバの準備工程
この準備工程では，通信事業者が主体として下記準備作業を行う。
対象制御プレーン修復用に，災害地域外に，一つの緊急接続サーバを準備する。セキュアなアクセス制御装置，例えば，ファイアウォールを含める。
緊急接続サーバに，一つのＧＬＯＢＡＬ  ＩＰアドレスを設定し，インターネットアクセスを可能にする。
緊急接続サーバにおいて，対象サブネットの疎通確認目標情報として，対象制御プレーンのサブネット内（災害前）全てのノードのＩＰアドレス情報集合Ａを準備する。
対象制御プレーン修復用に，Ｑ数量の復旧装置を準備する。
各々の復旧装置に，唯一のＩＤを付与し，復旧装置に設定する。
各々の復旧装置に，緊急接続サーバのＧＬＯＢＡＬ  ＩＰアドレスを保存する。
緊急接続サーバにおいて，Ｑ個の復旧装置それぞれとＶｉｒｔｕａｌ  Ｐｒｉｖａｔｅ Ｎｅｔｗｏｒｋ (ＶＰＮ)接続用にＱ数量のＶＰＮ論理ネットワークインターフェース（例えば，ＴａｐＰｏｒｔ  ｔａｐ＿0, ｔａｐ＿1,…,ｔａｐ＿Ｑ−１）を作成する。つまり，一つの復旧装置に対して，一つのＶＰＮ論理ネットワークインターフェースを作成する。
緊急接続サーバにおいて，一つのレイヤ２のソフトブリージ，例えば，ｂｒ０を作成し，Ｑ個のＶＰＮ論理ネットワークインターフェースとｂｒ０とを接続する。
緊急接続サーバにおいて，ソフトブリージ，例えば，ｂｒ０に，Ｓｐａｎｎｉｎｇ  Ｔｒｅｅ  Ｐｒｏｔｏｃｏｌ（ＳＴＰ）機能を利用し，ｂｒ０のＳＴＰ優先度を最下位に設定する。
緊急接続サーバにおいて，対象制御プレーンのサブネット内一つの空きＩＰアドレスを割当し，ｂｒ０に設定する。
Ｑ数量の復旧装置の内，各々の復旧装置に緊急接続サーバとＶＰＮ接続用に一つのＶＰＮ論理ネットワークインターフェース（例えば，ＴａｐＰｏｒｔ，ｔａｐ＿0）を作成する。
各々の復旧装置において，一つのレイヤ２のソフトブリージ，例えば，ｂｒ１を作成し，復旧装置に作成した一つのＶＰＮ論理ネットワークインターフェースとｂｒ１とを接続する。
各々の復旧装置において，ソフトブリージ，例えば，ｂｒ１に，ＳＴＰ機能を利用する。
各々の復旧装置において，対象制御プレーンのサブネット内一つの空きＩＰアドレスを割当し，ｂｒ１に設定する。
Ｑ個以内２つ以上複数の復旧装置を無線接続及びインターネットアクセス可能な対象ネットワーク所在災害地域に配置する。
【００２８】
工程１：第１のノードの制御プレーンローカルネットワークに復旧装置を接続する工程
図４は，本発明第１のノードの制御プレーンローカルネットワークに復旧装置を接続する工程を示す概念図である。図４に示されるように，各々の復旧装置を災害地域に配置し，対象制御プレーンに接続する。具体的には，復旧装置の一つのネットワークインターフェース（インターフェース１）を対象制御プレーンサブネット内一つのノードのローカルネットワークに接続する。以下，制御プレーンサブネットを第１のサブネットをいう。また，制御プレーンノードを第１のノードをいう。
【００２９】
工程２：復旧装置が，緊急接続サーバから，制御プレーンローカルネットワークに存在する，第１のノードが含まれる第１のサブネット内の１又は複数のノードのアドレス情報を取得する工程
【００３０】
図５は，復旧装置が，緊急接続サーバから，制御プレーンローカルネットワークに存在する，第１のノードが含まれる第１のサブネット内の１又は複数のノードのアドレス情報を取得する工程を示す概念図である。図５に示されるように，復旧装置が，インターフェース１以外のネットワークインターフェース（インターフェース２）と，インターフェース２に繋ぐ無線接続機器とを利用して，インターネットにアクセスする。
復旧装置が，与えられた対象制御プレーン修復用の緊急接続サーバのＩＰアドレスを用いて，無線接続及びインターネットを経由し，緊急接続サーバに接続する。この接続は既存セキュアなアクセス制御及び自動認証機能を利用する。
復旧装置が，制御プレーンローカルネットワークに存在する，第１のノードが含まれる第１のサブネット内の１又は複数のノードのアドレス情報の要求を緊急接続サーバに送信する。
緊急接続サーバが，要求を受け，復旧装置に対して，第１のサブネット内の１又は複数のノードのアドレス情報を送信する。具体的には，アドレス情報は，工程０で準備される対象制御プレーンのサブネット内（災害前）全てのノードのＩＰアドレス情報集合Ａのことである。
【００３１】
工程３：復旧装置が，１又は複数のノードのアドレス情報を用いて，第１のサブネット内の第１のノードが第１のサブネット内の他のノードと接続可能か確認する工程
図６は，復旧装置が，１又は複数のノードのアドレス情報を用いて，第１のサブネット内の第１のノードが第１のサブネット内の他のノードと接続可能か確認する工程を示す概念図である。図６に示されるように，復旧装置が，工程２にて取得された第１のサブネット内の１又は複数のノードのアドレス情報に基づいて，インターフェース１，そして，第１のノードの制御プレーンのローカルネットワークを経由し，第１のサブネット内の１又は複数のノードに送信し，第１のサブネット内の第１のノードが第１のサブネット内の他のノードと接続可能か確認する。
復旧装置が，接続確認過程で，あるノードから返信がある場合，当該ノードが生残っていることと判断する。接続確認過程中，返信がないノードが存在する場合， 第１のノードと当該ノードと不通と判断する。
【００３２】
工程４：復旧装置が，第１のノードが接続可能な第１のサブネット内のノードに関する情報を，緊急接続サーバに通知する工程
図７は，復旧装置が，第１のノードが接続可能な第１のサブネット内のノードに関する情報を，緊急接続サーバに通知する工程を示す概念図である。図７に示されるように，復旧装置が，第１のノードが接続可能な第１のサブネット内のノードに関する情報を集約する。
復旧装置が，インターフェース２と，インターフェース２に繋ぐ無線接続機器とを経由して，インターネットにアクセスする。
復旧装置が，与えられた対象制御プレーン修復用の緊急接続サーバのＩＰアドレスを用いて，無線接続及びインターネットを経由で，第１のノードが接続可能な第１のサブネット内のノードに関する情報を送信する。
【００３３】
工程５：緊急接続サーバが，制御プレーンローカルネットワーク内の接続可能なノードを分析する工程
図８は，緊急接続サーバが，制御プレーンローカルネットワーク内の接続可能なノードを分析する工程を示す概念図である。図８に示されるように，緊急接続サーバが，確認過程中異なる復旧装置  ｉ  から受け取った第１のサブネット内の接続可能となるノード情報をそれぞれ集合Ｒ_ｉとして整理する。
緊急接続サーバが，内容が異なるノード集合Ｒ_ｉを検出し，関係Ｒ＿ｉ間が不通と判断し，関係Ｒ＿ｉ間ネットワーク断と判断し，損壊された場所を推定できる。例えば，二つの復旧装置から受け取った接続可能となるノード集合はそれぞれ｛ａ，ｂ｝と｛ｃ，ｄ｝とする場合，本来第１のサブネット内に接続されるａ，ｂ，ｃ，ｄは二つのレイヤ２セグメントに分離され，｛ａ，ｂ｝と｛ｃ，ｄ｝との間の制御プレーンが損壊されることを推定できる。
緊急接続サーバが，既に配置された全ての復旧装置  ｉ  から受け取ったＲ＿ｉの和集合Ｄを計算する。
緊急接続サーバが，第１のサブネット内未接続するノード集合Ｕ＝Ａ‐Ｄを計算し，出力する。
通信事業者が，集合Ｕの内容を確認し，集合Ｕに属するノードが存在する場合，所在被災地域に無線接続可能な場合，所在被災地域に他の復旧装置を複数配置するように，工程１から応急復旧を行う。
【００３４】
工程６：制御プレーンローカルネットワークにおいて，第１のノードが第１のサブネット内のノードと接続可能でない場合，前記復旧装置が，前記緊急接続サーバとの無線通信を確立する工程
図９は，制御プレーンローカルネットワークにおいて，第１のノードが第１のサブネット内のノードと接続可能でない場合，復旧装置が，緊急接続サーバとの無線通信を確立する工程を示す概念図である。図９に示されるように，復旧装置（例えば，復旧装置  ｉ)が，工程３において，第１のノード又は第１のサブネット内の他のノードの中から返信がないノードが存在し， 第１のノードと当該ノードと不通と判断した場合，インターフェース２及び無線接続機器を経由に，緊急接続サーバとＶＰＮを接続する。
具体的には，復旧装置 ｉ が，準備工程０で作成されたＶＰＮ設立用のＶＰＮ論理ネットワークインターフェース（例えば，ＴａｐＰｏｒｔ，ｔａｐ＿０）と，緊急接続サーバに作成された当該復旧装置 ｉ と対応するＶＰＮ論理ネットワークインターフェース（例えば，ｔａｐ＿ｉ）との間に，ＶＰＮトンネルを設立する。ＶＰＮトンネルの設立には，セキュアなレイヤ２ｏｖｅｒ レイヤ３トンネルを利用できる。
復旧装置 ｉ が，ＶＰＮ論理ネットワークインターフェース（例えば，ＴａｐＰｏｒｔ，ｔａｐ＿０）と，自身のインターフェース１とを準備工程０で作成されたレイヤ２のソフトブリージｂｒ１に接続する。このように，第１のサブネットは緊急接続サーバと接続される。
他の複数の復旧装置が，それぞれ上記のように，独立に緊急接続サーバとＶＰＮを設立し，対象制御プレーンと緊急接続サーバと接続する。
上記それぞれのＶＰＮ接続と，緊急接続サーバにおいて，準備工程０に設定されたレイヤ２のソフトブリージｂｒ０とを用いて，第１のサブネットに対するレイヤ２での迂回経路が形成される。レイヤ２での迂回経路が対象制御プレーンネットワークの冗長接続手段となり，損壊された第１のサブネットが自動的に修復される。
第１のサブネットの迂回経路を設立することによりループが発生する場合，第１のサブネット，緊急接続サーバ，そして復旧装置での既存ＳＴＰ機能がループを自動的に対応し，関係場所のＶＰＮ接続をＢｌｏｃｋすることになる。そのため，ループが発生しても，通信の支障が自動的に回避される。
【００３５】
工程７：復旧装置が，第１のノードが第１のサブネット内のノードと接続可能と判断した場合，復旧装置と緊急接続サーバとの無線通信を切断する工程
図１０は，復旧装置が，第１のノードが第１のサブネット内のノードと接続可能と判断した場合，復旧装置と緊急接続サーバとの無線通信を切断する工程を示す概念図である。図１０に示されるように，光ネットワークの修復が進み，切断されたデータプレーンの光ファイバリンクが再び修復されることにより，制御プレーンネットワークも復旧される場合，修復された本来の制御プレーンのリンクと応急復旧のために設立したＶＰＮ迂回経路と併存することになる。この場合，制御プレーンにループが発生する。この状況下で，対象制御プレーン，緊急接続サーバ，そして復旧装置での既存ＳＴＰ機能がループの状況に自動的に対応し，関係場所のＶＰＮ接続をＢｌｏｃｋすることになる。このように，通信の支障が自動的に回避される。
復旧装置ｉが，自身のソフトブリッジｂｒ１のＳＴＰ状態を監視し，ＶＰＮ論理ネットワークインターフェース（例えば，ＴａｐＰｏｒｔ，ｔａｐ＿０）のＳＴＰ状態がＢｌｏｃｋｉｎｇ状態になることを判断できた場合，若しくは，復旧装置  ｉ  が，緊急接続サーバと連携し，緊急接続サーバにおける復旧装置  ｉ  自身のＩＤと対応するＶＰＮ論理ネットワークインターフェース（例えば，ＴａｐＰｏｒｔ，ｔａｐ＿ｉ）のＳＴＰ状態がＢｌｏｃｋｉｎｇ状態になることを判断できた場合，復旧装置  ｉ  が自身と緊急接続サーバとの無線通信を自動的に切断する。
復旧装置が上記状況を判断しない場合，自身と緊急接続サーバとの無線通信によるＶＰＮ接続を維持する。このように，対象制御プレーンの完全復帰まで，最小限必要の無線通信が維持することができる。
【００３６】
複数局舎を含む広い範囲内で制御プレーンが切断された場合，その複数局舎に本発明品を持ち込み通信装置と接続すると，ネットワークが切れた局舎に持ち込んだ本発明品のみが複数通信手法で自動的に制御プレーンに再接続を行う。他の局舎に持ち込んだ本発明品は自動的にループを回避し元の制御プレーンネットワークを維持する。
制御プレーンネットワークが複数箇所切断していた場合は複数の本発明品が複数通信手法で自動的に制御プレーンに再接続を行う。
切断された箇所が修理され復旧した場合，本発明品は自動的に元の制御プレーンネットワーク接続手段にもどし，臨時応急接続手段を切断する。
本発明品を接続したままにしている時に再度災害が発生し，制御プレーンネットワークが切れた場合は，切断されたネットワークの位置にある本発明品が自動的に複数通信手法で制御プレーンに再接続を行い応急復旧させる。
光通信経路としては使用できなくても，制御プレーンが復旧することで光通信装置装置のアラームを収集し光信号の迂回経路を早期に決定できることで，光ネットワークの早期応急復旧が可能になる。
【産業上の利用可能性】
【００３７】
本発明は，情報通信産業において利用される。
【図１】
2018160874.tif 000003
【図２】
2018160874.tif 000004
【図３】
2018160874.tif 000005
【図４】
2018160874.tif 000006
【図５】
2018160874.tif 000007
【図６】
2018160874.tif 000008
【図７】
2018160874.tif 000009
【図８】
2018160874.tif 000010
【図９】
2018160874.tif 000011
【図１０】
2018160874.tif 000012